(57)【要約】【課題】ヒートポンプ式給湯機を用いて、暖房や浴室乾燥を簡易に行うことができるようにした多機能ヒートポンプ式給湯機を提供すること。【解決手段】ヒートポンプ部２のガスクーラー２１において加熱した高温の湯を貯湯槽１内に貯留するようにしたヒートポンプ式給湯機において、暖房装置６及び浴室乾燥装置７と、貯湯槽１内に配設した熱交換器８３との間に、熱媒体の循環経路８０を形成し、貯湯槽１内に貯留した湯の熱量を、暖房装置６及び浴室乾燥装置７に供給するようにする。【選択図】  図１
2004293995.tif 000002
【特許請求の範囲】
【請求項１】
ヒートポンプ部のガスクーラーにおいて加熱した高温の湯を貯湯槽内に貯留するようにしたヒートポンプ式給湯機において、暖房装置及び浴室乾燥装置と、貯湯槽内に配設した熱交換器との間に、熱媒体の循環経路を形成し、貯湯槽内に貯留した湯の熱量を、暖房装置及び浴室乾燥装置に供給するようにしたことを特徴とする多機能ヒートポンプ式給湯機。
【請求項２】
貯湯槽と、ヒートポンプ部との間に、湯の循環経路を形成するとともに、該循環経路に外部熱交換器を配設し、該外部熱交換器に暖房装置及び浴室乾燥装置に熱量を供給する熱媒体の循環経路を接続するようにしたことを特徴とする請求項１記載の多機能ヒートポンプ式給湯機。
【請求項３】
貯湯槽と、ヒートポンプ部との間に、湯の循環経路を形成するとともに、該循環経路に外部熱交換器を配設し、該外部熱交換器に、貯湯槽内に配設した熱交換器に接続した熱媒体の循環経路を接続するようにしたことを特徴とする請求項１又は２記載の多機能ヒートポンプ式給湯機。
【請求項４】
熱媒体の循環経路を、浴室乾燥装置に熱量を供給する熱媒体の循環経路と共用するようにしたことを特徴とする請求項３記載の多機能ヒートポンプ式給湯機。
【発明の詳細な説明】
【０００１】
【発明の属する技術分野】
本発明は、ヒートポンプ部のガスクーラーにおいて加熱した高温の湯を貯湯槽内に貯留するようにした多機能ヒートポンプ式給湯機に関するものである。
【０００２】
【従来の技術】
従来、炭酸ガス冷媒を使用したヒートポンプ式給湯機は、図２に示すように、ガスクーラー２１、圧縮機２２、蒸発器用ファン２４を備えた蒸発器２３及び膨張弁２５から構成したヒートポンプ部２を、冷媒としての炭酸ガス（ＣＯ２）が循環するようにするとともに、貯湯槽１に水加熱部３を構成する水循環用配管３２、３３を接続し、この水循環用配管３２、３３の途中に循環用ポンプ３１を配設し、循環用ポンプ３１により貯湯槽１の水を循環させることによって、貯湯槽１内の水をヒートポンプ部２のガスクーラー２１において加熱し、予め設定された高温、これは特に限定されるものではないが、例えば、９０℃程度の高温の湯を貯湯槽１内に貯湯するようにしている。
そして、給湯部４で湯を使う場合には、蛇口４４等を操作することにより、貯湯槽１の下部に接続した給水管５から供給される水によって貯湯槽１内に貯留された湯を押し上げ、貯湯槽１の上部に接続した配管を介して、貯湯槽１内の湯を取り出すようにしている。
【０００３】
ところで、近年、電気温水器の貯湯槽内に貯留されている湯の熱量を風呂の追い焚きに用いることが提案され、実用化されている（特許文献１〜２参照）。
【０００４】
【特許文献１】
特開昭６４−１９２４９号公報
【特許文献２】
特開平１１−８３１５６号公報
【０００５】
【発明が解決しようとする課題】
本発明は、上記電気温水器において実用化されている貯湯槽内に貯留されている湯の熱量を風呂の追い焚きに用いる技術を、ヒートポンプ式給湯機に適用するに際し、さらに、ヒートポンプ式給湯機を用いて、暖房や浴室乾燥を簡易に行うことができるようにした多機能ヒートポンプ式給湯機を提供することを第１の目的とする。
【０００６】
さらに、本発明は、ヒートポンプ式給湯機の貯湯槽内に貯留されている湯の熱量には限りがあることに鑑み、風呂の追い焚きのほか、暖房装置や浴室乾燥装置の負荷に応じて、貯湯槽内に貯留される湯に、効率よく熱量を補給することができるようにした多機能ヒートポンプ式給湯機を提供することを第２の目的とする。
【０００７】
【課題を解決するための手段】
上記第１の目的を達成するため、本発明の多機能ヒートポンプ式給湯機は、ヒートポンプ部のガスクーラーにおいて加熱した高温の湯を貯湯槽内に貯留するようにしたヒートポンプ式給湯機において、暖房装置及び浴室乾燥装置と、貯湯槽内に配設した熱交換器との間に、熱媒体の循環経路を形成し、貯湯槽内に貯留した湯の熱量を、暖房装置及び浴室乾燥装置に供給するようにしたことを特徴とする。
【０００８】
この多機能ヒートポンプ式給湯機は、暖房装置及び浴室乾燥装置と、貯湯槽内に配設した熱交換器との間に、熱媒体の循環経路を形成し、貯湯槽内に貯留した湯の熱量を、暖房装置及び浴室乾燥装置に供給するようにしているので、ヒートポンプ式給湯機を用いて、暖房や浴室乾燥を簡易に行うことができる。
【０００９】
この場合において、貯湯槽と、ヒートポンプ部との間に、湯の循環経路を形成するとともに、該循環経路に外部熱交換器を配設し、該外部熱交換器に暖房装置及び浴室乾燥装置に熱量を供給する熱媒体の循環経路を接続するようにすることができる。
【００１０】
これにより、暖房装置や浴室乾燥装置の負荷に応じて、外部熱交換器から、効率よく熱量を補給することができる。
【００１１】
また、上記第２の目的を達成するため、貯湯槽と、ヒートポンプ部との間に、湯の循環経路を形成するとともに、該循環経路に外部熱交換器を配設し、該外部熱交換器に、貯湯槽内に配設した熱交換器に接続した熱媒体の循環経路を接続するようにすることができる。
【００１２】
これにより、風呂の追い焚きのほか、暖房装置や浴室乾燥装置の負荷に応じて、貯湯槽内に貯留される湯に、効率よく熱量を補給し、貯湯槽内に貯留されている湯を、効率よく再加熱することができる。
【００１３】
この場合において、熱媒体の循環経路を、浴室乾燥装置に熱量を供給する熱媒体の循環経路と共用するようにすることができる。
【００１４】
これにより、熱媒体の循環経路の構成を簡略化することができる。
【００１５】
【発明の実施の形態】
以下、本発明の多機能ヒートポンプ式給湯機の実施の形態を図面に基づいて説明する。
【００１６】
図１に、本発明の多機能ヒートポンプ式給湯機の１実施例を示す。
このヒートポンプ式給湯機は、従来のヒートポンプ式給湯機と同様、ガスクーラー２１、圧縮機２２、蒸発器用ファン２４を備えた蒸発器２３及び膨張弁２５から構成したヒートポンプ部２を、冷媒としての炭酸ガス（ＣＯ２）が循環するようにするとともに、貯湯槽１に水加熱部３を構成する水循環用配管３０ａ、３０ｂを接続し、この水循環用配管３０ａ、３０ｂの途中に、望ましくはガスクーラー２１にて加温される前の水循環用配管３０ａの途中に、循環用ポンプ３１を配設し、循環用ポンプ３１により貯湯槽１の水を循環させることによって、貯湯槽１内の水をヒートポンプ部２のガスクーラー２１において加熱し、高温の湯を貯湯槽１内に貯湯するようにしている。
【００１７】
そして、給湯部４で湯を使う場合には、蛇口４４等を操作することにより、貯湯槽１の下部に接続した給水管５から供給される水によって貯湯槽１内に貯留された湯を押し上げ、貯湯槽１の上部に接続した、弁４１、４２を配設した配管４０ａを介して、貯湯槽１内の湯を取り出すようにしている。
【００１８】
ところで、本実施例の多機能ヒートポンプ式給湯機においては、ヒートポンプ部２のガスクーラー２１において加熱して貯湯槽１内に貯留されている高温の湯の熱量を、風呂９の追い焚きに用いるほか、床暖房装置等の暖房装置６や浴室乾燥装置７に供給するようにしている。
【００１９】
この場合において、風呂９の追い焚きは、給水管５から弁５１を介して水が供給される配管９１及び貯湯槽１から弁４１、４３を介して湯が供給される配管９４を利用して、風呂９の湯を、配管９１→循環用ポンプ９２→貯湯槽１内に配設した、例えば、螺旋状の配管からなる熱交換器９３→配管９４→風呂９の順に循環させることによって加熱することにより行うようにする。
【００２０】
また、暖房装置６及び浴室乾燥装置７へ熱量を供給する熱量供給部８は、暖房装置６及び浴室乾燥装置７と、貯湯槽１内に配設した、例えば、螺旋状の配管からなる熱交換器８３との間に、熱媒体（例えば、水）の循環経路８０を形成し、貯湯槽１内に貯留した湯の熱量を、暖房装置６及び浴室乾燥装置７に供給することにより、ヒートポンプ式給湯機を用いて、暖房や浴室乾燥を簡易に行うことができるようにしている。
なお、熱媒体の循環経路８０には、循環用ポンプ８１及び弁８２等を配設することによって、貯湯槽１内に貯留した湯の熱量を、暖房装置６及び浴室乾燥装置７に選択的に供給することができるようにしている。
【００２１】
さらに、本実施例においては、水加熱部３の水循環用配管３０ｂに弁３２を介して、貯湯槽１とヒートポンプ部２との間で湯を循環させるようにした湯の循環経路３４を形成するとともに、この湯の循環経路３４に外部熱交換器３３を配設し、外部熱交換器３３に暖房装置６及び浴室乾燥装置７に熱量を供給する熱媒体の循環経路８０を接続するようにしている。
これにより、暖房装置６や浴室乾燥装置７の負荷に応じて、湯の循環経路３４を循環する高温の湯の熱量を用いて、外部熱交換器３３から、効率よく熱量を補給することができる。
なお、この場合、湯の循環経路３４を循環する高温の湯、例えば、９０℃の湯は、外部熱交換器３３を通過することによって、例えば、５０℃程度まで低下して貯湯槽１内の中間位置に戻るようにされている。
【００２２】
そして、この外部熱交換器３３に、貯湯槽１内に配設した熱交換器８３に接続した熱媒体の循環経路を接続するようにしているので、風呂９の追い焚きのほか、暖房装置６や浴室乾燥装置７の負荷によって、貯湯槽１内に貯留されている湯の温度が低下した場合に、貯湯槽１内に貯留される湯に効率よく熱量を補給し、貯湯槽１内に貯留されている湯、特に、熱交換器８３より上方の湯を効率よく再加熱して、湯の温度を上昇させることができる。
【００２３】
この場合の熱媒体の循環経路は、本実施例においては、浴室乾燥装置７に熱量を供給する熱媒体の循環経路と共用するようにしており、熱媒体を、熱交換器８３→弁８２→循環用ポンプ８１→浴室乾燥装置７（浴室乾燥装置７のファンは停止しておく。）→外部熱交換器３３→熱交換器８３となるように構成している。
これにより、熱媒体の循環経路の構成を簡略化することができる。
【００２４】
以上、本発明の多機能ヒートポンプ式給湯機について、その１実施例に基づいて説明したが、本発明は上記実施例に記載した構成に限定されるものではなく、また、適用対象も、例えば、ヒートポンプ部の冷媒に炭酸ガス冷媒以外の冷媒を使用したヒートポンプ式給湯機に適用できる等、その趣旨を逸脱しない範囲において適宜その構成及び適用対象を変更することができるものである。
【００２５】
【発明の効果】
本発明の多機能ヒートポンプ式給湯機によれば、暖房装置及び浴室乾燥装置と、貯湯槽内に配設した熱交換器との間に、熱媒体の循環経路を形成し、貯湯槽内に貯留した湯の熱量を、暖房装置及び浴室乾燥装置に供給するようにしているので、暖房装置及び浴室乾燥装置用の特別な熱源設備を設けることなく、ヒートポンプ式給湯機を用いて、暖房や浴室乾燥を簡易に行うことができ、設備の構築コスト及び維持コストを低廉にすることができる。
【００２６】
また、貯湯槽と、ヒートポンプ部との間に、湯の循環経路を形成するとともに、該循環経路に外部熱交換器を配設し、該外部熱交換器に暖房装置及び浴室乾燥装置に熱量を供給する熱媒体の循環経路を接続するようにすることにより、暖房装置や浴室乾燥装置の負荷に応じて、外部熱交換器から、効率よく熱量を補給することができる。
【００２７】
また、貯湯槽と、ヒートポンプ部との間に、湯の循環経路を形成するとともに、該循環経路に外部熱交換器を配設し、該外部熱交換器に、貯湯槽内に配設した熱交換器に接続した熱媒体の循環経路を接続するようにすることにより、風呂の追い焚きのほか、暖房装置や浴室乾燥装置の負荷に応じて、貯湯槽内に貯留される湯に、効率よく熱量を補給し、貯湯槽内に貯留されている湯を、効率よく再加熱することができる。
【００２８】
また、熱媒体の循環経路を、浴室乾燥装置に熱量を供給する熱媒体の循環経路と共用するようにすることにより、熱媒体の循環経路の構成を簡略化することができる。
【図面の簡単な説明】
【図１】本発明の多機能ヒートポンプ式給湯機の１実施例を示す説明図である。
【図２】従来のヒートポンプ式給湯機を示す説明図である。
【符号の説明】
１    貯湯槽
２    ヒートポンプ部
２１  ガスクーラー
２２  圧縮機
２３  蒸発器
２４  蒸発器用ファン
２５  膨張弁
３    水加熱部
３１  循環用ポンプ
４    給湯部
５    給水管
６    暖房装置
７    浴室乾燥装置
８    熱量供給部
８０  熱媒体の循環経路
８３  熱交換器
９    風呂
９３  熱交換器
【図１】
2004293995.tif 000003
【図２】
2004293995.tif 000004